(57)【要約】【課題】  本考案は重力による引戸の自動開閉する機構を提供する。【解決手段】  現在の住宅の引戸はバリア−フリー上戸車の動きが軽く開閉の手加減で半開きになるレールもＶ型でレールの谷に埃が詰まり円滑な動きができなくなる上述のことを考慮してレールと台車５は床下に設置する。移動を可能にするには引戸の開閉距離を有する傾斜のスライドレール１２に重り１１が滑降するスライドレール中央軸１３を中心に一定の角度で左右対称に上下することで重りが左右に移動をする重りが台車を牽引することで引戸の移動開閉ができる。開閉速度は一定になり衝撃が緩和されると共に半開きには成らない。次ぎに引戸の開閉切り替えは引戸の踏床と重りのスライドレールが連動、人が引戸の踏床に乗るだけで下方にある重りを押し上げる重力を利用した省エネ型自動開閉引戸である。【選択図】図１
0003128272.tif 000002
【実用新案登録請求の範囲】
【請求項１】
引戸を支持移動をする台車を床下に設置、移動は開閉距離だけ傾斜のスライドレールを重りが滑降する重りが台車を牽引移動するスライドレールは一定の角度だけスライドレールの中央軸を中心に左右対称に上下することで左右の移動ができる移動の切り替えは人が踏板に乗るだけで下方の重りを押し上げる重力を利用した自動開閉引戸である。
【考案の詳細な説明】
【考案の詳細な説明】
【技術分野】
【０００１】  本考案は重力による引戸の自動開閉をする機構に関するもの。
【背景技術】
【０００２】  現在の住宅の引戸はレール付き戸車が軽く手操作で定位置の開閉ができない。
【考案の開示】
【考案が解決しようとする課題】
【０００３】  現在の住宅の引戸はバリア−フリー上戸車の動きが軽く開閉の手加減で半開きになることが多いレールもＶ型でレールの谷に埃が詰まり円滑な動きができなくなるので掃除は欠かせない掃除のためレールから引戸を外し床に戸車の傷跡がつき後悔をした。
【課題を解決するための手段】
【０００４】  本考案はレールと戸車に代わる台車を床下に設置することで床上の引戸を台車で支持移動をする。ここで移動を可能にするには物の重力と人の重力を活用する物の重力は引戸の開閉距離の長さを有する傾斜のスライドレールを重りが滑降することで重りが台車を牽引することになる。スライドレールの中央軸を中心に一定の角度でスライドレールが左右対称に上下することで重りが左右の移動をすることになる。左右の移動を切り替えるにはスライドレールの重りが下方にある時スライドレールの上方と踏板が接触、接触した踏板に人が乗るだけで下方の重りを押し上げることでスラドレールの重りが左右に移動を切り替えることができる。ここで重要なのは移動を有利にするには摩擦力を少なくする転がり軸受けが必要になる。
【考案の効果】
【０００５】    重りだけで移動するので引戸の開閉速度は一定である衝撃の緩和にもなる。引戸の開閉は完全に出来る半開きにならない。床にはレールがなくレールの掃除は不要になる目映えも良くバリア−フリーの向上にもなる手の不自由なかたでも引戸の前に立つだけで開閉出入りができる重力だけで移動するので省イネにもなる。
【考案を実施するための最良の形態】
【０００６】    以下、添付図面に従って実施例を説明する引戸１は板厚３０ｍｍの木製下面に台車の支持板が入る幅５ｍｍの深さ１５ｍｍの堀込み穴を加工をする次ぎに床板２の厚み３０ｍｍ硬質木材上面に台車の支持板が走る５ｍｍのスリットと床下面に台車Ｍ８カムフオロアの走る幅３５ｍｍ深さ２２ｍｍの溝加工をする、引戸の床には引戸の開閉切り替え踏み板３を構成する。次ぎに台車５は鉄板４．５ｍｍ両端にＭ８カムフオロア６、２個対称に取り付ける個々のカムフオロアにスペーサ６ｍｍ２個組み込むかカムフオロアのボールト長さ１２ｍｍ短縮すれはカムフオロアの走る幅２２ｍｍ深さ２２ｍｍの溝になる台車支持板の下部にガイド及び牽引索ワイヤロープ３ｍｍを保持するゴム保持具７をとりつけることで牽引索ワイヤロープの保持の遊びがとれる引戸の移動を切り替えるとき引戸と重りが末端にあり行き止まり状態である、そのとき下方の重りを押し上げるには牽引索ワイヤロープの保持は遊びのゴム保持具が必要になる牽引索ワイヤロープの保持を調節するボールトにロックナットがセットになる取り付け座と押さえ板双方にタップが必要になる。次ぎに台車のレールはルーム４の鉄角パイプ１５０ｍｍ厚み６ｍｍ上面に台車が走る支持板のガイドに５ｍｍのスリットを加工するルームの長さは２０００ｍｍになるルームの側面に重りのスライドレール傾斜角度３度で中央軸１３の穴と牽引索ワイヤの滑車ａｂ９，１０を取り付ける穴も加工するルーム下面にはＭ１０基礎ボルト１８取り付けろ座板６ｍｍを溶接付けにする床とルームはＭ１０皿ボルト１６で取り付ける。次ぎにスライドレール本体１２は市販のスライドパック長さ１０００ｍｍストローク８７５ｍｍを使用、重りの取り付き座は１２５×８５ｍｍに合う鉄板６ｍｍの重量０．５ｋｇになる３枚積載すると１．５ｋｇになる重り１１になる。ワイヤロープ３ｍｍの両端を固定する穴を重りに加工するスライドレールと支持軸１３を接続するブラケット１４の構成になる。次ぎにワイヤロープ３ｍｍの滑車ａｂ、９，１０は樹脂製、軸はＭ１０ボールトに滑車の位置決めに止め輪を使用する滑車ｂ１０のブラケットの取り付けはスライドレールのスットッパ用穴を兼用するスライドレールの傾斜角度の調整は滑車のブラケットの下にゴム製のライナを重ねルーム内底面に接触衝撃緩和になるストッパによるスライドレールの傾斜角度の調節をする。踏み板と接触棒の長さ調節はスライドレールの重りが下りにかかるまでの長さに調節する。
【実施例】
【０００７】      移動の試みは製図用ドラフターのバランスウエイトで引戸の取手部と滑車を仮設、ヒモで接続牽引移動ができた。
【図面の簡単な説明】
【０００８】
【図１】本考案の重力自動開閉引戸の開いた状態の正面図
【図２】本考案の重力自動開閉引戸の閉じた状態の正面図
【図３】［図２］の中央軸を中心に縦に断面をした断面図
【図４】［図２］のワイヤの滑車部分の断面図
【符号の説明】
【０００９】  １  引戸                    １４  ブラケット
２  床板                    １５  接触棒
３  踏板                    １６  皿ボルト
４  フレーム                １７  フランジ
５  台車                    １８  基礎ボルト
６  カムフオロラ
７  ゴム保持具
８  ワイヤロープ
９  滑車ａ
１０  滑車ｂ
１１  重り
１２  スライドレール
１３  中央軸
【図１】
0003128272.tif 000003
【図２】
0003128272.tif 000004
【図３】
0003128272.tif 000005
【図４】
0003128272.tif 000006
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
引戸を支持移動する台車を床下に設置する重力自動開閉引戸。
【請求項２】
引戸の開閉はスライドレールの中央軸を中心に左右対称に一定の角度だけ上下することで重りが左右に台車をワイヤロープで牽引移動する請求項１の重力自動開閉引戸。
【請求項３】
引戸の開閉切替えは人の重力で接触棒を介しスライドレールの中央軸ブラケット上方を下降する踏板で確保できる請求項２の重力自動開閉引戸。